(57)【要約】【課題】比較的低い処理能力で、パケット従量制課金のための課金対象パケットを識別することができる課金方法及びシステムを提供する。【解決手段】端末２は、ＳＩＰ対応端末であり、システムは、ＳＩＰサーバ１を更に有する。ＳＩＰ対応端末２が、情報サーバ３とデータコネクションを確立する前に、ＳＩＰサーバ１へ、ユーザ識別子／端末側アドレス／サーバ側アドレスを含む呼接続要求を送信する。次に、ＳＩＰサーバ１が、課金サーバ４へ、呼接続要求に含まれるユーザ識別子／端末側アドレス／サーバ側アドレスを課金対象として送信する。次に、ＳＩＰ対応端末２が、サーバ側アドレスを用いて情報サーバ３との間でデータコネクションを確立する。そして、課金サーバ４が、端末側アドレス及びサーバ側アドレスを含む課金対象パケットを識別し、ユーザ識別子における課金情報を制御する。【選択図】図３
2010050775.tif 000002
【特許請求の範囲】
【請求項１】
端末と、該端末からＩＰネットワークを介してアクセスされる情報サーバと、端末−情報サーバ間で送受信される課金対象パケットを識別し且つ前記端末のユーザに対する課金情報を制御する課金サーバとを有するシステムにおけるパケット課金方法において、
前記端末は、ＳＩＰ(Session Initiation Protocol)対応端末であり、
前記システムは、セッション制御サーバを更に有しており、
前記ＳＩＰ対応端末が、前記情報サーバとデータコネクションを確立する前に、前記セッション制御サーバへ、ユーザ識別子／端末側アドレス／サーバ側アドレスを含む呼接続要求を送信する第１のステップと、
前記セッション制御サーバが、前記課金サーバへ、前記呼接続要求に含まれる前記ユーザ識別子／端末側アドレス／サーバ側アドレスを課金対象として送信する第２のステップと、
前記ＳＩＰ対応端末が、前記サーバ側アドレスを用いて前記情報サーバとの間でデータコネクションを確立する第３のステップと、
前記課金サーバが、前記端末側アドレス及び前記サーバ側アドレスを含む課金対象パケットを識別し、前記ユーザ識別子における課金情報を制御する第４のステップと
を有することを特徴とする課金方法。
【請求項２】
第１のステップについて、前記セッション制御サーバが、前記サーバ側アドレスを含む呼接続応答を、前記ＳＩＰ対応端末へ返信することを特徴とする請求項１に記載の課金方法。
【請求項３】
前記端末側アドレスは、前記ＳＩＰ対応端末のＩＰアドレス及びポート番号であり、
前記サーバ側アドレスは、前記情報サーバのＩＰアドレス、ポート番号及びアクセス先パスである
ことを特徴とする請求項１又は２に記載の課金方法。
【請求項４】
前記ＩＰネットワークに、プロキシサーバが更に接続されており、
第１のステップについて、
前記ＳＩＰ対応端末が、前記情報サーバとデータコネクションを確立する前に、前記セッション制御サーバへ、ユーザ識別子／端末側アドレス／サーバ側アドレスを含む呼接続要求を送信し、
前記セッション制御サーバが、前記プロキシサーバへ、前記呼接続要求に含まれる前記端末側アドレス及び前記サーバ側アドレスを送信し、
前記プロキシサーバが、端末側アドレス−プロキシ側アドレスと、プロキシ側アドレス−サーバ側アドレスとの対応情報を生成し、
前記プロキシサーバが、前記対応情報を、前記セッション制御サーバへ送信し、
前記セッション制御サーバが、前記プロキシ側アドレスを含む呼接続応答を、前記ＳＩＰ対応端末へ返信し、
第３のステップについて、
前記ＳＩＰ対応端末が、前記プロキシ側アドレスを用いて前記プロキシサーバとの間でデータコネクションを確立し、
前記プロキシサーバが、前記サーバ側アドレスを用いて前記情報サーバとの間でデータコネクションを確立し、
第４のステップについて、前記課金サーバが、前記プロキシ側アドレス及び前記サーバ側アドレスを含む課金対象パケットを識別し、前記ユーザ識別子における課金情報を制御する
ことを特徴とする請求項１から３のいずれか１項に記載の課金方法。
【請求項５】
端末と、該端末からＩＰネットワークを介してアクセスされる情報サーバと、端末−情報サーバ間で送受信される課金対象パケットを識別し且つ前記端末のユーザに対する課金情報を制御する課金サーバとを有するシステムにおいて、
前記端末は、ＳＩＰ対応端末であり、
セッション制御サーバを更に有しており、
前記ＳＩＰ対応端末は、前記セッション制御サーバへ、ユーザ識別子／端末側アドレス／サーバ側アドレスを含む呼接続要求を送信するＳＩＰクライアント手段と、サーバ側アドレスを用いて前記情報サーバとの間でデータコネクションを確立するコネクション確立手段とを有し、
前記セッション制御サーバは、前記ＳＩＰ対応端末から呼接続要求を受信する呼接続要求受信手段と、前記課金サーバへ、前記呼接続要求に含まれる前記ユーザ識別子／端末側アドレス／サーバ側アドレスを課金対象として送信する課金対象通知手段とを有し、
前記課金サーバが、前記端末側アドレス及び前記サーバ側アドレスを含む課金対象パケットをモニタするパケットモニタ手段と、モニタされたパケットに応じて前記ユーザ識別子における課金情報を制御する課金手段とを有する
ことを特徴とするシステム。
【請求項６】
前記セッション制御サーバは、前記サーバ側アドレスを含む呼接続応答を、前記ＳＩＰ対応端末へ返信する呼接続応答返信手段を更に有することを特徴とする請求項５に記載のシステム。
【請求項７】
前記端末側アドレスは、前記ＳＩＰ対応端末のＩＰアドレス及びポート番号であり、
前記サーバ側アドレスは、前記情報サーバのＩＰアドレス、ポート番号及びアクセス先パスである
ことを特徴とする請求項５又は６に記載のシステム。
【請求項８】
前記ＩＰネットワークに、プロキシサーバが更に接続されており、
前記セッション制御サーバは、前記プロキシサーバへ、前記呼接続要求に含まれる前記端末側アドレス／サーバ側アドレス／アクセス先パスを送信するプロキシ対応要求送信手段と、前記プロキシサーバから、端末側アドレス−プロキシ側アドレスとプロキシ側アドレス−サーバ側アドレスとの対応情報を受信するプロキシ対応応答受信手段とを更に有し、前記呼接続応答返信手段は、前記プロキシ側アドレスを含む呼接続応答を前記ＳＩＰ対応端末へ返信し、
前記プロキシサーバは、前記端末側アドレス／サーバ側アドレス／アクセス先パスを受信するプロキシ対応受信手段と、端末側アドレス−プロキシ側アドレスとプロキシ側アドレス−サーバ側アドレスとの対応情報を生成する対応情報生成手段と、前記対応情報を前記セッション制御サーバへ送信するプロキシ対応応答送信手段と、前記対応情報に基づいて前記端末側アドレス−プロキシ側アドレスと該プロキシ側アドレス−前記サーバ側アドレスとを交換するアドレス交換手段とを有する
ことを特徴とする請求項５から７のいずれか１項に記載のシステム。
【発明の詳細な説明】
【技術分野】
【０００１】
本発明は、ユーザに対する課金情報を制御するために、端末−サーバ間で送受信される課金対象パケットを識別する課金方法及びシステムに関する。
【背景技術】
【０００２】
現在、端末からＩＰ網を介して情報サーバにアクセスすることができるサービスでは、そのパケット通信量に応じたパケット従量制課金方式を採用する場合がある。特に、携帯電話網のような無線アクセスネットワークを介してＩＰ網にアクセスする場合には、パケット従量制課金が一般的に採用されている。
【０００３】
このパケット従量制課金を採用するには、端末が、どの情報サーバのどのページにアクセスしたかを識別する必要がある。このとき、課金サーバは、これらパケットの中身をプロトコルに従ってモニタし、そのアクセス先を確認する。そして、課金サーバは、そのサービスを利用したユーザに対して、パケット通信量に応じて従量制課金を制御する。
【０００４】
図１は、従来技術におけるシステム構成図である。
【０００５】
図１によれば、端末２は、アクセスネットワーク６及びＩＰ網７を介して、情報サーバにアクセスし、サービスを受けることができる。このとき、その経路上では、課金サーバ４が、課金対象パケットを識別し、そのパケット通信量に応じて従量制課金の制御を実行する。このようにパケットを識別する技術として、例えば「ディープインスペクション」が用いられる。
【０００６】
ディープインスペクションとは、必要に応じて複数のパケットを結合し、上位のプロトコルを解析する技術であり、このディープインスペクションのプロトコル解析技術を用いて、パケットの中身を解析し、課金対象となるサーバ及びページを特定することができる。
【０００７】
一方、音声通話における時間従量制に限っては、ＳＩＰ(Session Initiation Protocol)技術もある。ＳＩＰは、ＩＰ上における呼制御プロトコルであって、端末間で通信に必要なＩＰアドレスやポート番号、エンコーディング等のネゴシエーション、発呼及び着呼等を制御する。ＳＩＰによれば、制御シグナリングとデータとを分離して扱うことができるので、データパケットを解析することなく、通信時間に応じた課金が可能となる。従って、課金サーバの処理負荷は、ディープインスペクションの場合と比較して、極めて小さい。
【０００８】
【特許文献１】特開２００３−２９８６１５号公報
【発明の開示】
【発明が解決しようとする課題】
【０００９】
ディープインスペクション技術によれば、大量のパケットについてプロトコル解析をリアルタイムに実行するために、課金サーバには、極めて高い処理能力を要する。また、ＳＩＰ技術によれば、課金サーバの処理負荷は小さいけれども、時間従量制課金しか採用できず、パケット従量制課金を採用することはできない。
【００１０】
従って、本発明は、比較的低い処理能力で、パケット従量制課金のための課金対象パケットを識別することができる課金方法及びシステムを提供することを目的とする。
【課題を解決するための手段】
【００１１】
本発明によれば、端末と、該端末からＩＰネットワークを介してアクセスされる情報サーバと、端末−情報サーバ間で送受信される課金対象パケットを識別し且つ端末のユーザに対する課金情報を制御する課金サーバとを有するシステムにおけるパケット課金方法において、
端末は、ＳＩＰ対応端末であり、
システムは、セッション制御サーバを更に有しており、
ＳＩＰ対応端末が、情報サーバとデータコネクションを確立する前に、セッション制御サーバへ、ユーザ識別子／端末側アドレス／サーバ側アドレスを含む呼接続要求を送信する第１のステップと、
セッション制御サーバが、課金サーバへ、呼接続要求に含まれるユーザ識別子／端末側アドレス／サーバ側アドレスを課金対象として送信する第２のステップと、
ＳＩＰ対応端末が、サーバ側アドレスを用いて情報サーバとの間でデータコネクションを確立する第３のステップと、
課金サーバが、端末側アドレス及びサーバ側アドレスを含む課金対象パケットを識別し、ユーザ識別子における課金情報を制御する第４のステップと
を有することを特徴とする。
【００１２】
本発明の課金方法における他の実施形態によれば、第１のステップについて、セッション制御サーバが、サーバ側アドレスを含む呼接続応答を、ＳＩＰ対応端末へ返信することも好ましい。
【００１３】
本発明の課金方法における他の実施形態によれば、
端末側アドレスは、ＳＩＰ対応端末のＩＰアドレス及びポート番号であり、
サーバ側アドレスは、情報サーバのＩＰアドレス、ポート番号及びアクセス先パスであることも好ましい。
【００１４】
本発明の課金方法における他の実施形態によれば、
ＩＰネットワークに、プロキシサーバが更に接続されており、
第１のステップについて、
ＳＩＰ対応端末が、情報サーバとデータコネクションを確立する前に、セッション制御サーバへ、ユーザ識別子／端末側アドレス／サーバ側アドレスを含む呼接続要求を送信し、
セッション制御サーバが、プロキシサーバへ、呼接続要求に含まれる端末側アドレス及びサーバ側アドレスを送信し、
プロキシサーバが、端末側アドレス−プロキシ側アドレスと、プロキシ側アドレス−サーバ側アドレスとの対応情報を生成し、
プロキシサーバが、対応情報を、セッション制御サーバへ送信し、
セッション制御サーバが、プロキシ側アドレスを含む呼接続応答を、ＳＩＰ対応端末へ返信し、
第３のステップについて、
ＳＩＰ対応端末が、プロキシ側アドレスを用いてプロキシサーバとの間でデータコネクションを確立し、
プロキシサーバが、サーバ側アドレスを用いて情報サーバとの間でデータコネクションを確立し、
第４のステップについて、課金サーバが、プロキシ側アドレス及びサーバ側アドレスを含む課金対象パケットを識別し、ユーザ識別子における課金情報を制御することも好ましい。
【００１５】
本発明によれば、端末と、該端末からＩＰネットワークを介してアクセスされる情報サーバと、端末−情報サーバ間で送受信される課金対象パケットを識別し且つ端末のユーザに対する課金情報を制御する課金サーバとを有するシステムにおいて、
端末は、ＳＩＰ対応端末であり、
セッション制御サーバを更に有しており、
ＳＩＰ対応端末は、セッション制御サーバへ、ユーザ識別子／端末側アドレス／サーバ側アドレスを含む呼接続要求を送信するＳＩＰクライアント手段と、サーバ側アドレスを用いて情報サーバとの間でデータコネクションを確立するコネクション確立手段とを有し、
セッション制御サーバは、ＳＩＰ対応端末から呼接続要求を受信する呼接続要求受信手段と、課金サーバへ、呼接続要求に含まれるユーザ識別子／端末側アドレス／サーバ側アドレスを課金対象として送信する課金対象通知手段とを有し、
課金サーバが、端末側アドレス及びサーバ側アドレスを含む課金対象パケットをモニタするパケットモニタ手段と、モニタされたパケットに応じてユーザ識別子における課金情報を制御する課金手段とを有することを特徴とする。
【００１６】
本発明のシステムにおける他の実施形態によれば、セッション制御サーバは、サーバ側アドレスを含む呼接続応答を、ＳＩＰ対応端末へ返信する呼接続応答返信手段を更に有することも好ましい。
【００１７】
本発明のシステムにおける他の実施形態によれば、
端末側アドレスは、ＳＩＰ対応端末のＩＰアドレス及びポート番号であり、
サーバ側アドレスは、情報サーバのＩＰアドレス、ポート番号及びアクセス先パスであることも好ましい。
【００１８】
本発明のシステムにおける他の実施形態によれば、
ＩＰネットワークに、プロキシサーバが更に接続されており、
セッション制御サーバは、プロキシサーバへ、呼接続要求に含まれる端末側アドレス／サーバ側アドレス／アクセス先パスを送信するプロキシ対応要求送信手段と、プロキシサーバから、端末側アドレス−プロキシ側アドレスとプロキシ側アドレス−サーバ側アドレスとの対応情報を受信するプロキシ対応応答受信手段とを更に有し、呼接続応答返信手段は、プロキシ側アドレスを含む呼接続応答を端末へ返信し、
プロキシサーバは、端末側アドレス／サーバ側アドレス／アクセス先パスを受信するプロキシ対応受信手段と、端末側アドレス−プロキシ側アドレスとプロキシ側アドレス−サーバ側アドレスとの対応情報を生成する対応情報生成手段と、対応情報をセッション制御サーバへ送信するプロキシ対応応答送信手段と、対応情報に基づいて端末側アドレス−プロキシ側アドレスと該プロキシ側アドレス−サーバ側アドレスとを交換するアドレス交換手段とを有することも好ましい。
【発明の効果】
【００１９】
本発明の課金方法及びシステムによれば、課金対象パケットに対して例えばＩＰアドレス及びポート番号のみを確認するために、課金サーバが、比較的低い処理能力で、パケット従量制課金のための課金対象パケットを識別することができる。
【発明を実施するための最良の形態】
【００２０】
以下では、図面を用いて、本発明を実施するための最良の形態について詳細に説明する。
【００２１】
図２は、本発明におけるシステム構成図である。
【００２２】
図２のシステムによれば、アクセスネットワーク６と、ＩＰ網７と、ＳＩＰサーバ１を備えたＩＭＳ(IP Multimedia Subsystem)ネットワークとが相互に接続されている。アクセスネットワーク６は、例えば携帯電話ネットワーク、無線／有線ブロードバンドネットワーク等である。端末２は、ＳＩＰ対応端末であって、アクセスネットワーク６を介してＳＩＰサーバ１に接続することができる。ＩＰ網７には、端末２からアクセスされる情報サーバ３が接続されている。また、端末２−情報サーバ３間で送受信される課金対象パケットを識別し、且つ、端末２のユーザに対する課金情報を制御する課金サーバが更に備えられている。
【００２３】
ＳＩＰ対応端末２は、ＳＩＰクライアント部と、コネクション確立部とを有する。これら機能構成部は、端末に搭載されたコンピュータを機能させるプログラムを実行することによって実現される。ＳＩＰクライアント部は、情報サーバ３とデータコネクションを確立する前に、ＳＩＰサーバ１へ、ユーザ識別子／端末側アドレス／サーバ側アドレスを含む呼接続要求を送信する。これによって、ＳＩＰ対応端末２から情報サーバ３への経路が確保される。ここで、端末側アドレスは、ＳＩＰ対応端末２のＩＰアドレス及びポート番号であり、サーバ側アドレスは、情報サーバのＩＰアドレス、ポート番号及びアクセス先パスである。コネクション確立部は、サーバ側アドレスを用いて情報サーバ３との間でデータコネクションを確立する。
【００２４】
ＳＩＰサーバ１は、呼接続要求受信部１１と、呼接続応答返信部１２と、課金対象通知部１３とを有する。これら機能構成部は、サーバに搭載されたコンピュータを機能させるプログラムを実行することによって実現される。
【００２５】
呼接続要求受信部１１は、ＳＩＰ対応端末から呼接続要求を受信する。呼接続要求は、SIP INVITEメッセージであり、ユーザ識別子／端末側アドレス／サーバ側アドレスを含む。これら情報は、呼接続応答返信部１２へ出力される。
【００２６】
呼接続応答返信部１２は、サーバ側アドレスを含む呼接続応答を、ＳＩＰ対応端末２へ返信する。その後、呼接続応答返信部１２は、ユーザ識別子／端末側アドレス／サーバ側アドレスを、課金対象通知部１３へ出力する。
【００２７】
課金対象通知部１３は、課金サーバ４へ、呼接続要求に含まれるユーザ識別子／端末側アドレス／サーバ側アドレスを課金対象として送信する。
【００２８】
課金サーバ４は、パケットモニタ部４１と、課金部４２とを有する。これら機能構成部は、サーバに搭載されたコンピュータを機能させるプログラムを実行することによって実現される。パケットモニタ部４１は、端末側アドレス及びサーバ側アドレスを含む課金対象パケットをモニタする。課金部４２は、モニタされたパケットに応じてユーザ識別子における課金情報を制御する。
【００２９】
図３は、本発明におけるシーケンス図である。
【００３０】
（Ｓ３０）ＳＩＰ対応端末２は、情報サーバ３との間でデータコネクションを確立する前に、呼接続要求INVITEを、ＳＩＰサーバ１へ送信する。INVITEメッセージは、以下のアクセス情報を含む。
ＳＩＰ対応端末２のＩＰアドレス：IPa
ポート番号  ：Pa
情報サーバ３のＩＰアドレス    ：IPs
ポート番号  ：Ps
アクセス先パス    ：/charge/
ＳＩＰ対応端末２のＩＰアドレスIPa及びポート番号Paは、ＳＩＰボディのＳＤＰ(Subscribe Description Protocol)に記述される。また、Fromヘッダには、ユーザ識別子としてのＳＩＰ−ＵＲＩ(Uniform Resource Indicator)が記述される。
【００３１】
（Ｓ３１）これに対し、ＳＩＰサーバ１は、ＳＩＰ対応端末２へ、呼接続応答200OKメッセージを返信する。200OKメッセージは、以下の情報を含む。
情報サーバ３のＩＰアドレス    ：IPs
ポート番号  ：Ps
情報サーバのＩＰアドレスIPs及びポート番号Psは、ＳＩＰボディのＳＤＰに記述される。
【００３２】
（Ｓ３２）これに対し、ＳＩＰ対応端末２は、確認ACKメッセージを、ＳＩＰサーバ１へ返信する。
【００３３】
（Ｓ３３）次に、ＳＩＰサーバ１は、課金対象情報を、課金サーバ４へ送信する。課金対象情報は、以下の情報を含む。
ユーザのＳＩＰ−ＵＲＩ
端末側アドレス（送信元情報：ＳＩＰ対応端末２）
ＩＰアドレスIPa、ポート番号Pa
サーバ側アドレス（宛先情報：情報サーバ３）
ＩＰアドレスIPs、ポート番号Ps、アクセス先パス:/charge/
【００３４】
（Ｓ３４）その後、ＳＩＰ対応端末２は、情報サーバ３との間で、データコネクションを確立し、パケットを送受信する。このとき、課金サーバ４が、これらパケットをモニタし、端末側アドレス及びサーバ側アドレスを含む課金対象パケットを識別する。これによって、ユーザのＳＩＰ−ＵＲＩに対する課金情報を制御することができる。
【００３５】
図４は、プロキシサーバを介した本発明のシステム構成図である。
【００３６】
図４によれば、図２と比較して、ＳＩＰ対応端末２と、ＳＩＰサーバ１との間に、プロキシサーバ５が更に接続されている。一方で、ＳＩＰサーバ１は、図２と比較して、プロキシサーバ５に対応するために、プロキシ対応要求送信部１４と、プロキシ対応応答受信部１５とを更に有する。
【００３７】
プロキシ対応要求送信部１４は、プロキシサーバ５へ、呼接続要求に含まれる端末側アドレス／サーバ側アドレス／アクセス先パスを送信する。
【００３８】
プロキシ対応応答受信部１５は、プロキシサーバ５から、端末側アドレス−プロキシ側アドレスとプロキシ側アドレス−サーバ側アドレスとの対応情報を受信する。対応情報は、呼接続応答返信部１２へ出力される。
【００３９】
呼接続応答返信部１２は、図２と異なって、プロキシ側サーバ側アドレスを含む呼接続応答を、ＳＩＰ対応端末２へ返信する。その後、呼接続応答返信部１２は、ユーザ識別子／端末側アドレス／サーバ側アドレスを、課金対象通知部１３へ出力する。
【００４０】
一方、プロキシサーバ５は、プロキシ対応要求受信部５１と、対応情報生成部５２と、プロキシ対応応答送信部５３と、アドレス交換部５４とを有する。これら機能構成部は、サーバに搭載されたコンピュータを機能させるプログラムを実行することによって実現される。
【００４１】
プロキシ対応要求受信部５１は、ＳＩＰサーバ１から、端末側アドレス／サーバ側アドレス／アクセス先パスを受信する。これら情報は、対応情報生成部５２へ出力される。
【００４２】
対応情報生成部５２は、端末側アドレス−プロキシ側アドレスとプロキシ側アドレス−サーバ側アドレスとの対応情報を生成する。対応情報は、プロキシ対応応答送信部５３及びアドレス交換部５４へ出力される。
【００４３】
プロキシ対応応答送信部５３は、対応情報を、セッション制御サーバへ送信する。
【００４４】
アドレス交換部５４は、対応情報に基づいて、端末側アドレス−プロキシ側アドレスと該プロキシ側アドレス−サーバ側アドレスとを交換する。
【００４５】
図５は、プロキシサーバを介した本発明のシーケンス図である。
【００４６】
図５によれば、図３と比較して、プロキシサーバ５に対するＳ３０１〜Ｓ３０３及びＳ３４１のシーケンスを更に含む。ＳＩＰ対応のプロキシサーバを備えることにより、対応情報に登録されていないパケットにおける情報サーバ３への転送が拒否されるため、セキュリティの観点から好ましい。
【００４７】
（Ｓ３０）図３のＳ３０と全く同様であって、ＳＩＰ対応端末２は、情報サーバ３との間でデータコネクションを確立する前に、呼接続要求INVITEを、ＳＩＰサーバ１へ送信する。
【００４８】
（Ｓ３０１）呼接続要求INVITEを受信したＳＩＰサーバ１は、プロキシ対応要求を、プロキシサーバ５へ送信する。プロキシ対応要求は、以下のアクセス情報を含む。
ＳＩＰ対応端末２のＩＰアドレス：IPa
ポート番号  ：Pa
情報サーバ３のＩＰアドレス    ：IPs
ポート番号  ：Ps
アクセス先パス    ：/charge/
【００４９】
（Ｓ３０２）これに対し、プロキシサーバ５は、端末側アドレス−プロキシ側アドレスと、プロキシ側アドレス−サーバ側アドレスとの対応情報を生成する。
プロキシサーバのＩＰアドレス  ：IPp
端末に対するプロキシーバのポート番号  ：Ppa
サーバに対するプロキシサーバのポート番号：Pps
端末側アドレス      −  プロキシ側アドレス
IPa:Pa−IPp:Ppa
プロキシ側アドレス  −  サーバ側アドレス
IPp:Pps−IPs:Ps:/charge/
【００５０】
（Ｓ３０３）プロキシサーバ５が、対応情報を含むプロキシ対応応答を、ＳＩＰサーバ１へ返信する。
【００５１】
（Ｓ３１）ＳＩＰサーバ１は、ＳＩＰ対応端末２へ、呼接続応答200OKメッセージを返信する。このとき、200OKメッセージには、プロキシサーバ５のＩＰアドレスIPp及びポート番号Ppaが含められる。プロキシサーバ５のＩＰアドレスIPp及びポート番号Ppaは、ＳＩＰボディのＳＤＰに記述される。
【００５２】
（Ｓ３２）これに対し、ＳＩＰ対応端末２は、確認ACKメッセージを、ＳＩＰサーバ１へ返信する。
【００５３】
（Ｓ３３）ＳＩＰサーバ１は、図３のＳ３３と同様であって、課金対象情報を、課金サーバ４へ送信する。
【００５４】
（Ｓ３４）その後、ＳＩＰ対応端末２は、情報サーバ３との間で、データコネクションを確立し、パケットを送受信する。このとき、課金サーバ４が、これらパケットをモニタし、端末側アドレス及びサーバ側アドレスを含む課金対象パケットを識別する。また、プロキシサーバ５は、生成した対応情報に基づいて、ＳＩＰ対応端末２と情報サーバ３との間で、ＩＰアドレス及びポート番号の変換を実行する。プロキシサーバ５は、変換すべきパケットが例えばＨＴＴＰ(HyperText Transfer Protocol)であれば、アクセス先パスを確認した上でＨＴＴＰプロキシ処理を実行し、それ以外の基本的なＩＰパケットであれば、ＴＣＰ(Transmission Control Protocol)プロキシ処理を実行する。
【００５５】
尚、通信終了時には、BYEメッセージによって明示的に通知してもよいし、所定時間タイムアウトによって終了してもよい。
【００５６】
以上、詳細に説明したように、本発明の課金方法及びシステムによれば、課金対象パケットに対して例えばＩＰアドレス及びポート番号のみを確認するために、課金サーバが、比較的低い処理能力で、パケット従量制課金のための課金対象パケットを識別することができる。
【００５７】
（１）端末は、情報サーバに対してデータコネクションを確立する前に、ＳＩＰの呼接続要求INVITEを送信するだけである。これによって、課金対象パケットの端末側アドレス及びサーバ側アドレスが特定される。課金サーバは、ＩＰアドレス（及びポート番号）のみを確認すればよいので、ディープインスペクションのような高負荷の処理を実行することなく、課金対象パケットを容易に識別することができる。
（２）プロキシサーバを備えることによって、ＳＩＰを用いた汎用的な認証が可能となる。
【００５８】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として規定するものにのみ制約される。
【図面の簡単な説明】
【００５９】
【図１】従来技術におけるシステム構成図である。
【図２】本発明におけるシステム構成図である。
【図３】本発明におけるシーケンス図である。
【図４】プロキシサーバを介した本発明のシステム構成図である。
【図５】プロキシサーバを介した本発明のシーケンス図である。
【符号の説明】
【００６０】
１  ＳＩＰサーバ、セッション制御サーバ
１１  呼接続要求受信部
１２  呼接続応答返信部
１３  課金対象通知部
１４  プロキシ対応要求送信部
１５  プロキシ対応応答受信部
２  端末、ＳＩＰ対応端末
３  情報サーバ
４  課金サーバ
４１  パケットモニタ部
４２  課金部
５  プロキシサーバ
５１  プロキシ対応要求受信部
５２  対応情報生成部
５３  プロキシ対応応答送信部
５４  アドレス交換部
６  アクセスネットワーク
７  ＩＰ網
【図１】
2010050775.tif 000003
【図２】
2010050775.tif 000004
【図３】
2010050775.tif 000005
【図４】
2010050775.tif 000006
【図５】
2010050775.tif 000007